(57)【要約】【課題】樹脂製バルブを埋設配管した場合の埋め戻し土砂等、又はバルブボックスの蓋の開閉によるバルブボックス内への侵入土砂等が、バルブのボンネット上面に堆積しても、配管方向を確実に目視することができる樹脂製バルブを提供する。【解決手段】配管方向が識別可能な表示部として、先端が三角形状に形成された一対の分割型表示プレート１３を、各々の先端が配管方向（入口流路３及び出口流路４の方向）を指示する様に、ボンネット７の縁から径方向に突出した状態でボンネット７の上面にボルト９、ナット１０により固定する。【選択図】図１
2004068842.tif 000002
【特許請求の範囲】
【請求項１】
ボンネット部の縁又はボンネット部が固定される本体上部フランジ部の縁から、配管方向が識別可能な表示部が径方向に突出して設けられていることを特徴とする樹脂製バルブ。
【請求項２】
前記表示部がボンネット部に固定されていることを特徴とする請求項１記載の樹脂製バルブ。
【請求項３】
前記表示部がボンネット部又はボンネット部が固定される本体上部フランジ部と一体的に形成されていることを特徴とする請求項１記載の樹脂製バルブ。
【請求項４】
前記表示部が配管方向に対して直交する方向に設けられていることを特徴とする請求項１又は請求項２又は請求項３のいずれかに記載の樹脂製バルブ。
【発明の詳細な説明】
【０００１】
【発明の属する技術分野】
本発明は、農水産設備、水処理設備、建築設備、プラント設備、上水道などの配管に使用される樹脂製バルブに関し、さらに詳しくは、特に埋設配管に用いて好適な樹脂製バルブに関するものである。
【０００２】
【従来の技術】
従来、埋設配管に用いられる樹脂製バルブは各種あるが、その１つの例として、登録実用新案第３０４２６２４号公報に開示されているものが挙げられる。図９は該公報に開示された樹脂製バルブの縦断面図であり、図１０は図９の斜視図、図１１は図９の埋設状態を示す部分断面図である。図９において２６は弁本体であり、内部に入口流路２７及び出口流路２８を有し、また、両流路２７、２８の中央部に流路軸線に対して垂直方向に設けられた弁室２９を有している。３０は弁本体２６の上部にスピンドル受け３１を介して固定されている蓋体であり、弁室２９内を上下動する弁体３２と係合しているスピンドル３３をその中央部で支承している。３４は蓋体３０の表面に膨出して一体成形して設けられた管路方向を示す矢印であり、入口流路２７及び出口流路２８の方向にそれぞれ頂点を向けた三角の矢印形状にされ、図１１に示ように、地上から蓋体３０に設けられた矢印３４を目視して配管方向を確認できるようにされている。
【０００３】
【発明が解決しようとする課題】
しかしながら、掘削工事の途中、あるいは配管が交差又は密集している場所に設置されている弁を操作する場合、弁を埋設配管した際の埋め戻し土砂等、又はバルブボックス３５の蓋３６の開閉によるバルブボックス３５内への侵入土砂等が、弁の蓋体３０上面に堆積し、配管方向を示す矢印３４が隠れてしまい、配管方向が認識し難くなるおそれがあった。その結果、掘削工事の場合は誤って既存のパイプを破損したり、配管が交差又は密集している場所に設置されている弁を操作する場合においては開閉させる弁の選定ミスによって被害が出るおそれがあった。
本発明は上記のような従来技術の問題点に鑑みなされたもので、埋設配管した場合の埋め戻し土砂等、あるいはバルブボックスの蓋の開閉によるバルブボックス内への侵入土砂等が、バルブのボンネット上面に堆積しても、配管方向を確実に視認することができる樹脂製バルブを提供することを目的とするものである。
【０００４】
【課題を解決するための手段】
本発明の構成を図１に基づいて説明すると、ボンネット部６の縁又はボンネット部６が固定される本体上部フランジ部２の縁から、配管方向が識別可能な表示部１３が径方向に突出して設けられていることを第一の特徴とし、当該表示部１３がボンネット部６に固定されていることを第二の特徴とするものである。また、ボンネット部６又はボンネット部６が固定される本体上部フランジ部２と表示部１３が一体的に形成されていることを第三の特徴とするものである。また、表示部１３が配管方向に対して直交する方向に設けられていることを第四の特徴とするものである。
【０００５】
本発明における樹脂製バルブはゲートバルブ、ストップバルブが好適なものとして挙げられる。
【０００６】
また、本発明における樹脂製バルブの各部材の材質は硬質塩化ビニル樹脂が好適に用いられるが、強度、耐腐食性上問題のない樹脂であれば特に限定されない。
【０００７】
【発明の実施の形態】
以下、本発明の実施態様について図面参照して説明するが、本発明が本実施態様に限定されないことは言うまでもない。
図１は本発明の第一の実施態様を示す樹脂製バルブの縦断面図、図２は図１の斜視図、図３は図１において配管方向に対して直交する方向に表示部が設けられた樹脂製バルブの斜視図、図４は一体型の表示プレートが設けられた第二の実施態様を示す樹脂製バルブの斜視図、図５は配管された図１の樹脂製バルブに土砂が堆積した状態を示す部分断面図、図６は図５における樹脂製バルブの平面図、図７は本発明の第三の実施態様を示す樹脂製バルブの斜視図である。図８は本発明の第四の実施態様を示す樹脂製バルブの斜視図である。
【０００８】
図１及び２において、１は弁本体であり、上部に本体上部フランジ部２が設けられ、内部に入口流路３及び出口流路４を有し、両流路３、４の中央部に流路軸線に対し垂直方向に設けられた弁室５を有している。６はボンネット部であり、本実施態様においてはボンネット部６はボンネット７と円盤状のスピンドル受け８とからなる。ボンネット７はスピンドル受け８を介して本体上部フランジ部２の上部にボルト９、ナット１０で固定されている。１１はスピンドルで、弁室５内を上下移動しバルブを開閉する弁体１２と係合していてボンネット部６の中央部に支承されている。
【０００９】
１３は配管方向を識別可能にする表示部としての一対の分割型表示プレートであり、ＳＵＳ製で各々の先端が三角形状になっており該先端が配管方向（入口流路３及び出口流路４の方向）を指示する様に径方向に突出した状態でボンネット７の上面にボルト９、ナット１０により固定されている。表示プレート１３の他端側の固定部１４には、表示プレート１３一枚で種々の口径のバルブに対応できる様に略円弧状の切欠き１５が複数個設けられている。尚、本実施態様では表示プレート１３がボンネットの上面に固定されているが、ボンネット７とスピンドル受け８の間に挟持固定しても良い。また、本実施態様では表示プレート１３は二枚が固定されているが、どちらか片方のみの固定でも良い。また、本実施態様では表示プレート１３がＳＵＳ製となっているが、他の金属、樹脂製でも良く、強度、耐腐食性を有していれば特に限定されない。
【００１０】
さらに、本実施態様では、表示プレート１３が配管方向を指示する状態で固定されているが、図３に示すように配管方向に対して直交する方向に設けても良い。
【００１１】
図４は本発明の第二の実施態様を示したものであり、第一の実施態様と異なる点は表示プレート１６を一体的に設けた点である。その他の構造、作用は、第一の実施態様と同様であるので説明を省略する。
【００１２】
以上説明した本実施態様の樹脂製バルブを配管した場合、埋め戻し土砂等、又はバルブボックス１８の蓋１９の開閉によるバルブボックス１８内への侵入土砂２０等が、バルブのボンネット７上面に堆積しても（図５参照）、配管方向を指示する表示プレート１３がボンネット７の縁からはみ出して設けてあるので、この部分で配管方向を簡単に確認することができる（図６参照）。
【００１３】
つぎに、図７に基づいて本発明の第三の実施態様について説明する。第一の実施態様と異なる点は、端部が三角形状に形成された表示部２１がボンネット２２に径方向に突出した状態で一体成形にて設けられた点であり、配管方向が識別できる様に、配管方向に突出した状態で、スピンドル受け８を挟持し本体上部フランジ部２にボルト９ナット１０により固定されている。尚、本実施態様では、表示部２１がボンネット２２に配管方向に突出した状態で固定されているが、配管方向に対して直交する方向に突出した状態で固定しても良い。その他の構造、作用は、第一の実施態様と同様であるので説明を省略する。
【００１４】
つぎに、図８に基づいて本発明の第四の実施態様について説明する。本実施態様では、表示部２３が本体上部フランジ部２４に配管方向の径方向に突出した状態で一体成形して設けられたものであり、前記同様、表示部２３は配管方向に対して直交する方向に突出した状態で設けても良い。さらに、前記と同様に表示部２３を設ける代わりに表示プレート１３をスピンドル受け２５と本体上部フランジ部２４の間に挟持固定してもよい。
【００１５】
【発明の効果】
本発明は以上のように構成したので、樹脂製バルブに連結された配管方向を容易に視認することができる。特に、埋設配管を伴う上水道などの配管に使用した場合に効果的で、配管の方向や配管の位置がその場で直ちに確認できる。さらに樹脂製バルブを埋設配管した場合の埋め戻し土砂等、又はバルブボックスの蓋の開閉によるバルブボックス内への侵入土砂等が、バルブのボンネット上面に堆積しても、配管方向を確実に目視することができる。その結果、掘削工事の場合は誤って既存のパイプを破損することなく、また配管が交差又は密集している場所に設置されている弁を操作する場合においては開閉させる弁の選定ミスが発生することなくスムーズな配管施工ができるという優れた効果がある。
【図面の簡単な説明】
【図１】本発明の第一の実施態様を示す樹脂製バルブの縦断面図である。
【図２】図１の斜視図である。
【図３】図１において配管方向に対して直交する方向に表示部が設けられた樹脂製バルブの斜視図である。
【図４】一体型の表示プレートが設けられた第二の実施態様を示す樹脂製バルブの斜視図である。
【図５】配管された図１の樹脂製バルブに土砂が堆積した状態を示す部分断面図である。
【図６】図５における樹脂製バルブの平面図である。
【図７】本発明の第三の実施態様を示す樹脂製バルブの斜視図である。
【図８】本発明の第四の実施態様を示す樹脂製バルブの斜視図である。
【図９】従来の樹脂製バルブの縦断面図である。
【図１０】従来の樹脂製バルブの斜視図である。
【図１１】図９のバルブの埋設状態を示す部分断面図である。
【符号の説明】
１…弁本体
２…本体上部フランジ部
３…入口流路
４…出口流路
５…弁室
６…ボンネット部
７…ボンネット
８…スピンドル受け
９…ボルト
１０…ナット
１１…スピンドル
１２…弁体
１３…表示プレート
１４…固定部
１５…切欠き
１６…表示プレート
１７…地表
１８…バルブボックス
１９…蓋
２０…侵入土砂
２１…表示部
２２…ボンネット
２３…表示部
２４…本体上部フランジ部
２５…スピンドル受け
２６…弁本体
２７…入口流路
２８…出口流路
２９…弁室
３０…蓋体
３１…スピンドル受け
３２…弁体
３３…スピンドル
３４…矢印
３５…バルブボックス
３６…蓋
【図１】
2004068842.tif 000003
【図２】
2004068842.tif 000004
【図３】
2004068842.tif 000005
【図４】
2004068842.tif 000006
【図５】
2004068842.tif 000007
【図６】
2004068842.tif 000008
【図７】
2004068842.tif 000009
【図８】
2004068842.tif 000010
【図９】
2004068842.tif 000011
【図１０】
2004068842.tif 000012
【図１１】
2004068842.tif 000013